(57)【要約】【課題】プレス機構を提供することを課題とする。【解決手段】本発明は、本体フレームと、駆動部材と、前記駆動部材が駆動する伝動部材と、前記伝動部材がプレス作業を駆動するダイセットとを含むプレス機構を開示する。前記伝動部材が前記駆動部材が駆動する伝動軸と、前記伝動軸と連接する前記伝動軸の軸線に対して偏心する偏心構造とを包括し、前記偏心構造に前記ダイセットと連結する伝動部を設け、前記ダイセットが前記本体フレームに対して固定するガイド部材上に嵌設され、また前記ガイド部材のガイド方向に沿って往復運動できる。本発明は上下連接構造の伝動方式を用いて伝動軸上の円運動軌跡を直接ダイセットのストロークに変換し、中間の架橋ユニットを除去し、効率が大幅にアップされ、且つプレスがより一層正確で、誤差が小さく、得られた製品の品質が更に良好で安定し、微調整部材の設置を用いてプレス金型のストローク高さを調整し、ストローク高さの正確な微調整を実現する。【選択図】図１
2016135539.tif 000002
【特許請求の範囲】
【請求項１】
本体フレーム（１０）と、駆動部材（１１）と、前記駆動部材（１１）が駆動する伝動部材（１２）と、前記伝動部材（１２）がプレス作業を駆動するダイセット（１３）とを含むプレス機構であって、前記伝動部材（１２）が前記駆動部材（１１）が駆動する伝動軸（１２１）と、前記伝動軸（１２１）と連接する前記伝動軸（１２１）の軸線に対して偏心する偏心構造（１２２）とを包括し、前記偏心構造（１２２）に前記ダイセット（１３）と連結する伝動部（１２３）を設け、前記ダイセット（１３）が前記本体フレーム（１０）に対して固定するガイド部材（１４）上に嵌設され、また前記ガイド部材（１４）のガイド方向に沿って往復運動できることを特徴とするプレス機構。
【請求項２】
前記伝動部（１２３）にプレス機構のプレス高さを調整するための微調整部材（２）を連接し、前記伝動部（１２３）が前記微調整部材（２）を通じて前記ダイセット（１３）に作用することを特徴とする請求項１に記載のプレス機構。
【請求項３】
前記微調整部材（２）は、前記ダイセット（１３）に作用する作用ブロック（２２）と、前記作用ブロック（２２）が駆動する前記ダイセット（１３）のプレス高さを調整する調整ブロック（２３）とを包括し、前記作用ブロック（２２）が前記調整ブロック（２３）と連接する連接部（２２１）と、前記ダイセット（１３）に固着する作用部（２２２）とを包括し、前記調整ブロック（２３）が前記作用ブロック（２２）の連接部（２２１）内に挿入し、前記作用ブロック（２２）を駆動してプレス高さを変更する駆動部（２３１）と、前記連接部（２２１）の外部に位置し、調整や操作に用いられる調整部（２３２）とを包括し、前記調整ブロック（２３）に中心が前記調整ブロック（２３）中心からずれた連接穴を設けており、前記作用ブロック（２２）、調整ブロック（２３）は連接軸（２１）が前記伝動部（１２３）上に設ける横方向穴と前記調整ブロック（２３）上の前記連接穴に挿通することで前記伝動部（１２３）と連接することを特徴とする請求項２に記載のプレス機構。
【請求項４】
前記作用ブロック（２２）の前記連接部（２２１）と前記調整ブロック（２３）の前記駆動部（２３１）には、両者間の連接強度を向上する締付具を設けることを特徴とする請求項３に記載のプレス機構。
【請求項５】
前記締付具は、前記連接部（２２１）上に設ける締付穴と、前記締付穴に合わせる締め付けネジとからなることを特徴とする請求項４に記載のプレス機構。
【請求項６】
前記調整ブロック（２３）は、前記作用ブロック（２２）両側の連接部（２２１）外側に設けられた２個のものであることを特徴とする請求項３に記載のプレス機構。
【請求項７】
前記偏心構造（１２２）は、前記伝動軸（１２１）上に固設された伝動部材（１２２１）と、軸受を通じて前記伝動部材（１２２１）と連接する伝動カバー（１２２２）とを包括し、前記伝動部（１２３）が前記伝動カバー（１２２２）上に設けられ、前記伝動部材（１２２１）が前記伝動軸（１２１）の軸線に対して偏心することを特徴とする請求項２に記載のプレス機構。
【請求項８】
前記伝動部（１２３）は、一定の時間間隔で前記ダイセット（１３）上に接触して作用することを特徴とする請求項１に記載のプレス機構。
【請求項９】
前記ダイセット（１３）は、前記伝動部（１２３）と連結する上ホルダ（１３１）と、前記ガイド部材（１４）或いは前記本体フレーム（１０）と固着し、前記上ホルダ（１３１）の下方に位置する下ホルダ（１３２）とを包括することを特徴とする請求項２又は８に記載のプレス機構。
【請求項１０】
前記ガイド部材（１４）は、４本のガイドポストであることを特徴とする請求項１に記載のプレス機構。
【発明の詳細な説明】
【技術分野】
【０００１】
本発明は、パンチ加工技術分野に関し、特に、キャリアテープのプレスポケットに用いられるプレス機構に関する。
【背景技術】
【０００２】
紙製プレスポケットキャリアテープは、超小型電子部品を輸送、包装するキャリアとして１列のインデックスホールと１列の貫通しない収納凹部とからなり、その生産技術が電子情報技術の急速発展に伴って調整する必要があり、生産効率と生産精度の制御が益々重要になっている。従来の紙製プレスポケットキャリアテープの生産設備は、連接棒伝動方式を用い、連接棒の両側に各々動力機構とプレス機構を設け、連接棒を通じて動力機構主軸上の偏心輪の運動軌跡をプレス金型のストロークに変換することで、紙テープのプレスポケットを実現し、最終的に紙製プレスポケットキャリアテープを形成する。特許文献１は、２０１１年１０月２６日に包装用紙テープ穴あけ装置を開示しているが、これら部品が伝動システムの動力を損耗し、且つ相互の組合せに隙間が存在し、プレスポケット装置の生産過程中のストローク制御偏差が大きく、機械の振動が大きく、得られた製品の精度が悪く、高効率、高速プレスポケット作業を完成できない。一方では、連接棒上に設ける両頭正逆ネジボルトが正確にプレス金型のストローク高さを設定できず且つ容易に緩み、特に正確に紙テープ収納凹部のプレス深さを制御できないため、製品の品質が不安定となっていた。
【先行技術文献】
【特許文献】
【０００３】
【特許文献１】中国実用新案番号第ＣＮ２０２０１６７７０号
【発明の概要】
【発明が解決しようとする課題】
【０００４】
そこで、本発明は、上記従来パンチ装置に存在している問題点を解決するため、中間の架橋ユニットを不要とし、制御偏差が小さく、効率を大幅にアップし、ストローク高さの正確な微調整を実現し、得られる製品の品質がより一層安定するプレス機構を提供することを目的とする。
【課題を解決するための手段】
【０００５】
上記目的を達成するため、本発明の態様に係るプレス機構は、本体フレームと、駆動部材と、前記駆動部材が駆動する伝動部材と、前記伝動部材がプレス作業を駆動するダイセットとを含み、前記伝動部材が前記駆動部材が駆動する伝動軸と、前記伝動軸と連接する前記伝動軸の軸線に対して偏心する偏心構造とを包括し、前記偏心構造に前記ダイセットと連結する伝動部を設け、前記ダイセットが前記本体フレームに対して固定するガイド部材上に嵌設され、また前記ガイド部材のガイド方向に沿って往復運動できる。
【０００６】
本発明の態様によれば、伝動部を通じてダイセットに直結し、連接棒の架橋を省き、制御偏差が小さく、効率が大幅にアップする。駆動部材の円周軌跡を金型プレスストロークに変換した後、ガイド部材によりプレス方向を案内、安定させ、作用力を完全に上下方向に制限させて、横方向振動による誤差を避けられるため、得られる製品の品質がより一層安定する。
【０００７】
本発明の望ましい態様として、前記伝動部にプレス機構のプレス高さを調整するための微調整部材を連接し、前記伝動部が前記微調整部材を通じて前記ダイセットに作用する。該態様は、微調整部材を通じてダイセットのプレス高さを微調整するため、得られてあ製品寸法がより一層正確で、品質がより一層安定している。
【０００８】
本発明の望ましい態様として、前記微調整部材は前記ダイセットに作用する作用ブロックと、前記作用ブロックが駆動する前記ダイセットのプレス高さを調整する調整ブロックとを包括し、前記作用ブロックが前記調整ブロックと連接する連接部と、前記ダイセットに固着する作用部とを包括し、前記調整ブロックが前記作用ブロックの連接部内に挿入し、前記作用ブロックを駆動してプレス高さを変更する駆動部と、前記連接部の外部に位置し、調整や操作に用いられる調整部とを包括し、前記調整ブロックに中心が前記調整ブロック中心からずれた連接穴を設けており、前記作用ブロック、調整ブロックは連接軸が前記伝動部上に設ける横方向穴と前記調整ブロック上の前記連接穴に挿通することで前記伝動部と連接する。
【０００９】
本発明の望ましい態様として、前記作用ブロックの前記連接部と前記調整ブロックの前記駆動部には、両者間の連接強度を向上する締付具を設けており、プレス高さを調整した後締付具で作用ブロックと調整ブロックを締め付け、プレス時作用ブロックと調整ブロックの直接振動により製品の誤差が生じることはない。
【００１０】
本発明の望ましい態様として、前記締付具は、前記連接部上に設ける締付穴と、前記締付穴に合わせる締め付けネジとからなる。
【００１１】
本発明の望ましい態様として、前記調整ブロックは、前記作用ブロック両側の連接部外側に設けられた２個のものであり、プレス高さの調整をより一層正確で、調整後安定性が良好で、得られた製品の品質がより一層安定している。
【００１２】
本発明の望ましい態様として、前記偏心構造は、前記伝動軸上に固設された伝動部材と、軸受を通じて前記伝動部材と連接する伝動カバーとを包括し、前記伝動部が前記伝動カバー上に設けられ、前記伝動部材が前記伝動軸の軸線に対して偏心する。
【００１３】
該態様は、伝動カバーを介して伝動部材と滑らかに連接し、伝動部の横方向における作用力を大幅に減らし、且つ従来技術中の連接棒を省き、プレス効率を明らかにアップするだけではなく、また誤差を減らし、製品の寸法がより一層正確となる。
【００１４】
本発明の望ましい態様として、前記伝動部は、一定の時間間隔で前記ダイセット上に接触して作用する。
【００１５】
本発明の望ましい態様として、前記ダイセットは、前記伝動部と連結する上ホルダと、前記ガイド部材或いは前記本体フレームと固着し、前記上ホルダの下方に位置する下ホルダとを包括する。
【００１６】
本発明の望ましい態様として、前記ガイド部材は、４本のガイドポストであるため、プレス時の安定性がより一層良好となる。
【発明の効果】
【００１７】
上記態様の実施を通じて本発明は、次の有益な効果を有し、つまり本発明は上下連接構造の伝動方式を用いて伝動軸上の円運動軌跡を直接ダイセットのストロークに変換し、中間の架橋ユニットを除去し、効率が大幅にアップされ、且つプレスがより一層正確で、誤差が小さく、得られた製品の品質が更に良好で安定し、微調整部材の設置を用いてプレス金型のストローク高さを調整し、ストローク高さの正確な微調整を実現する。
【図面の簡単な説明】
【００１８】
【図１】本発明の一実施例におけるプレス機構の構造を示す模式図である。
【図２】本発明の一実施例における伝動部材の構造を示す模式図である。
【図３】本発明の一実施例における微調整部材の分解図である。
【発明を実施するための形態】
【００１９】
以下、添付図面と具体的実施例を組み合わせて本発明を更に詳細に説明する。
【実施例１】
【００２０】
プレス機構であって、本体フレーム１０を設けており、その上に駆動部材１１として駆動モータを固定し、プレス機構の伝動部材１２を駆動する。図１、図２、図３に示すように、伝動部材１２は軸受を通じて本体フレーム１０上の伝動軸１２１と伝動軸１２１に連接する偏心構造１２２に固定され、伝動軸１２１がモータを通じて伝動ベルトで運転を駆動し、偏心構造１２２が伝動軸１２１上に固設された伝動部材１２２１と、軸受を通じて伝動部材１２２１の外環に取り付けられた伝動カバー１２２２とを包括し、伝動部材１２２１の軸線から伝動部材１２２１の外周縁までの距離が等しくなく、つまり偏心構造は伝動軸１２１で駆動し、一定の時間間隔で伝動カバー１２２２に下向きの作用力を与え、伝動カバー１２２２の下部に伝動部１２３を設け、伝動部１２３を通じてパンチ作業に用いられるダイセット１３に作用して伝動軸１２１上の円運動軌跡を金型プレスの鉛直ストロークに変換し、中間の架橋ユニットを除去し、効率が大幅にアップされる。伝動部１２３上には貫通した横方向穴を有し、連接軸２１の貫通を通じて伝動部１２１両側に位置する作用ブロック２１と作用ブロック２１外側の２個の調整ブロック２３が設けられてプレス機構のプレス高さを調整するための微調整部材２とする。作用ブロック２１は、伝動部１２３両側に位置する連接部２２１と、ダイセット１３と固着する作用部２２２とを包括し、調整ブロック２３には中心が調整ブロック２３中心からずれる偏心連接穴を設けて、連接軸２１の連接用として供し、調整ブロック２３の一側が作用ブロック２２の連接部２２１内に挿入されて作用ブロック２２を駆動してプレス高さを変更する駆動部２３１を構成し、他側が連接部２２１の外部に位置し、調整部２３２の調整操作に用いられる。ワーク上の穴径・深さを調整する必要がある時、手動で調整ブロック２３を調整すると、ダイセット１３のストローク高さの微調整を実現できる。ダイセット１３は、上下に設けられる上ホルダ１３１と下ホルダ１３２とを包括し、上ホルダ、下ホルダの間がホルダを挿通する４本のガイドポストで構成されるガイド部材１４により連接し、ガイドポストが本体フレーム１０上に固定される。上ホルダ１３１はガイドポスト上に嵌設され、またガイドポストのガイド方向に沿って往復運動し、下ホルダ１３２が本体フレーム１０上に固定され、ガイドポストが方向案内、安定の役割を果たし、パンチング対象ワークが上ホルダ、下ホルダの間を通ると共にパンチングされる。
【実施例２】
【００２１】
取付台上に取付ブラケットを固定しており、取付ブラケット上に取付ブロックを設ける。取付ブラケット上に駆動部材１１として駆動モータを固定し、プレス機構の伝動部材１２を駆動し、伝動部材１２は軸受を通じて取付ブロック上の伝動軸１２１と伝動軸１２１に連接する偏心構造１２２に固定され、伝動軸１２１がモータを通じて伝動ベルトで運転を駆動し、偏心構造１２２が伝動軸１２１上に固設された伝動部材１２２１を包括し、その下部に伝動部１２３を設ける。伝動部１２３上には貫通した横方向穴を有し、連接軸２１の貫通を通じて伝動部１２１両側に位置する作用ブロック２１と作用ブロック２１外側の２個の調整ブロック２３が設けられてプレス機構のプレス高さを調整するための微調整部材２とする。作用ブロック２１は、伝動部１２３両側に位置する連接部２２１と、ダイセット１３と固着する作用部２２２とを包括し、偏心構造１２２の伝動部１２３は作用部２２２を通じて一定の時間間隔でダイセット１３上に接触して作用し、且つ作用部２２２とダイセット１３の互いに接触する面が均しく円弧形面として設け、作用部２２２が外方に突出する円弧形で、ダイセットが内方へ凹んだ円弧形で、横方向の衝撃力を減らし、プレスポケットの誤差を低減する。調整ブロック２３には中心が調整ブロック２３中心からずれる偏心連接穴を設けて、連接軸２１の連接用として供し、調整ブロック２３の一側が作用ブロック２２の連接部２２１内に挿入されて作用ブロック２２を駆動してプレス高さを変更する駆動部２３１を構成し、他側が連接部２２１の外部に位置し、調整部２３２の調整操作に用いられる。ワーク上の穴径・深さを調整する必要がある時、手動で調整ブロック２３を調整すると、ダイセット１３のストローク高さの微調整を実現できる。ダイセット１３は、上下に設けられる上ホルダ１３１と下ホルダ１３２とを包括し、上ホルダ、下ホルダの間がホルダを挿通する４本のガイドポストで構成されるガイド部材１４により連接し、ガイドポストが本体フレーム１０上に固定される。上ホルダ１３１はガイドポスト上に嵌設され、またガイドポストのガイド方向に沿って往復運動し、下ホルダ１３２が本体フレーム１０上に固定され、ガイドポストが方向案内、安定の役割を果たし、パンチング対象ワークが上ホルダ、下ホルダの間を通ると共にパンチングされる。
【実施例３】
【００２２】
取付台上に取付ブラケットを固定しており、取付ブラケット上に取付ブロックを設ける。取付ブラケット上に駆動部材１１として駆動モータを固定し、プレス機構の伝動部材１２を駆動し、伝動部材１２は軸受を通じて取付ブロック上の伝動軸１２１と伝動軸１２１に連接する偏心構造１２２に固定され、伝動軸１２１がモータを通じて伝動ベルトで運転を駆動し、偏心構造１２２が伝動軸１２１上に固設された伝動部材１２２１を包括し、その下部に伝動部１２３を設ける。伝動部１２３とダイセット１３の互いに接触する面が均しく円弧形面として設け、伝動部１２３が外方に突出する円弧形で、ダイセットが内方へ凹んだ円弧形で、横方向の衝撃力を減らし、プレスポケットの誤差を低減する。ダイセット１３は、上下に設けられる上ホルダ１３１と下ホルダ１３２とを包括し、上ホルダ、下ホルダの間がホルダを挿通する４本のガイドポストで構成されるガイド部材１４により連接し、ガイドポストが本体フレーム１０上に固定される。上ホルダ１３１はガイドポスト上に嵌設され、またガイドポストのガイド方向に沿って往復運動し、下ホルダ１３２が本体フレーム１０上に固定され、ガイドポストが方向案内、安定の役割を果たし、パンチング対象ワークが上ホルダ、下ホルダの間を通ると共にパンチングされる。
【図１】
2016135539.tif 000003
【図２】
2016135539.tif 000004
【図３】
2016135539.tif 000005